(57)【要約】      （修正有）【課題】静止画像を変換することにより生成された動画像が、どの静止画像に対応しているのかをユーザーに認識させることができるようにする。【解決手段】静止画復号回路１１１は、記録媒体１０７に記録された静止画像を、例えばファイナライズ時に復号化する。また、撮影情報検出回路１１０は、その静止画像の記録時の撮影情報を取得する。そして、多重化回路１１３は、撮影情報検出回路１１０で取得された撮影情報を、静止画復号回路１１１で復号化された静止画像データに重畳する（多重化する）。ＭＰＥＧ符号化回路１１４は、撮影情報が重畳された静止画像データを動画像データに符号化する。記録回路１０６は、ＭＰＥＧ符号化回路１１４で符号化された動画像データを記録媒体１０７に記録する。【選択図】図１
2007318544.tif 000002
【特許請求の範囲】
【請求項１】
静止画像データを入力する入力手段と、
前記入力手段により入力された静止画像データに対し、その静止画像データに係る副情報データを多重化する多重化手段と、
前記多重化手段により副情報データが多重化された静止画像データを動画記録方式に従う動画像データに変換する変換手段と、
前記変換手段により変換された動画像データを前記動画記録方式に従って記録媒体に記録する記録手段とを有することを特徴とする記録装置。
【請求項２】
前記副情報データは、前記静止画像データの撮影時における環境に係る撮影情報を含むことを特徴とする請求項１に記載の記録装置。
【請求項３】
前記記録手段は、前記変換手段により変換された各動画像データをそれぞれ異なるビデオオブジェクトに割り付けて記録媒体に記録することを特徴とする請求項１又は２に記載の記録装置。
【請求項４】
前記記録手段は、前記変換手段により変換された各動画像データをそれぞれ異なるビデオオブジェクトユニットに割り付けて、前記変換手段により変換された動画像データを１つのビデオオブジェクトとして記録媒体に記録することを特徴とする請求項１又は２に記載の記録装置。
【請求項５】
前記変換手段は、前記記録媒体に対するファイナライズ処理が起動されると、前記多重化手段により副情報データが多重化された静止画像データを、動画記録方式に従って動画像データに変換することを特徴とする請求項１〜４の何れか１項に記載の記録装置。
【請求項６】
前記多重化手段により副情報データが多重化された多重化静止画像データと、前記入力手段により入力された静止画像データであって、前記多重化手段により副情報データが多重化されていない非多重化静止画像データとの何れかを選択する選択手段を有し、
前記変換手段は、前記多重化静止画像データが前記選択手段により選択された場合には、その多重化静止画像データを、動画記録方式に従う動画像データに変換し、前記非多重化静止画像データが前記選択手段により選択された場合には、その非多重化静止画像データを、動画記録方式に従う動画像データに変換することを特徴とする請求項１〜５の何れか１項に記載の記録装置。
【請求項７】
前記選択手段は、前記多重化静止画像データと、前記非多重化静止画像データとを１つずつ交互に選択することを特徴とする請求項６に記載の記録装置。
【請求項８】
前記選択手段は、前記多重化静止画像データの全ての選択と、前記非多重化静止画像データの全ての選択とを順番に行うことを特徴とする請求項６に記載の記録装置。
【請求項９】
前記記録手段は、前記多重化静止画像データから変換された各動画像データを、それぞれ異なるビデオオブジェクトユニットに割り付けて、前記多重化静止画像データから変換された動画像データを１つのビデオオブジェクトとして記録媒体に記録すると共に、前記非多重化静止画像データから変換された各動画像データを、それぞれ異なるビデオオブジェクトユニットに割り付けて、前記非多重化静止画像データから変換された動画像データを１つのビデオオブジェクトとして記録媒体に記録することを特徴とする請求項８に記載の記録装置。
【請求項１０】
前記入力手段は、前記記録媒体から静止画記録方式に従って記録された前記静止画像データを再生する再生手段を含むことを特徴とする請求項１に記載の記録装置。
【請求項１１】
撮像手段と、前記撮像手段により得られた画像データを用いて動画像データと静止画像データとを生成する処理手段とを備え、前記記録手段は、前記処理手段により得られた動画像データを前記動画記録方式に従って前記記録媒体に記録すると共に、前記処理手段により得られた静止画像データを静止画記録方式に従って前記記録媒体に記録することを特徴とする請求項１に記載の記録装置。
【請求項１２】
前記入力手段は、前記記録媒体から前記静止画記録方式に従って記録された前記静止画像データと前記動画記録方式に従って記録された動画像データとを再生する再生手段を含むことを特徴とする請求項１１に記載の記録装置。
【請求項１３】
静止画像データを入力する入力ステップと、
前記入力ステップにより入力された静止画像データに対し、その静止画像データに係る副情報データを多重化する多重化ステップと、
前記多重化ステップにより副情報データが多重化された静止画像データを動画記録方式に従う動画像データに変換する変換ステップと、
前記変換ステップにより変換された動画像データを前記動画記録方式に従って記録媒体に記録する記録ステップとを有することを特徴とする記録方法。
【請求項１４】
前記副情報データは、前記静止画像データの撮影時における環境に係る撮影情報を含むことを特徴とする請求項１３に記載の記録方法。
【請求項１５】
前記記録ステップは、前記変換ステップにより変換された各動画像データをそれぞれ異なるビデオオブジェクトに割り付けて記録媒体に記録することを特徴とする請求項１３又は１４に記載の記録方法。
【請求項１６】
前記記録ステップは、前記変換ステップにより変換された各動画像データをそれぞれ異なるビデオオブジェクトユニットに割り付けて、前記変換ステップにより変換された動画像データを１つのビデオオブジェクトとして記録媒体に記録することを特徴とする請求項１３又は１４に記載の記録方法。
【請求項１７】
前記動画像記録ステップは、前記記録媒体に対するファイナライズ処理が起動されると、前記多重化ステップにより副情報データが多重化された静止画像データを、動画記録方式に従って動画像データに変換することを特徴とする請求項１３〜１６の何れか１項に記載の記録方法。
【請求項１８】
前記多重化ステップにより副情報データが多重化された多重化静止画像データと、前記入力ステップにより入力された静止画像データであって、前記多重化ステップにより副情報データが多重化されていない非多重化静止画像データとの何れかを選択する選択ステップを有し、
前記変換ステップは、前記多重化静止画像データが前記選択ステップにより選択された場合には、その多重化静止画像データを、動画記録方式に従う動画像データに変換し、前記非多重化静止画像データが前記選択ステップにより選択された場合には、その非多重化静止画像データを、動画記録方式に従う動画像データに変換することを特徴とする請求項１３〜１７の何れか１項に記載の記録方法。
【請求項１９】
前記選択ステップは、前記多重化静止画像データと、前記非多重化静止画像データとを１つずつ交互に選択することを特徴とする請求項１８に記載の記録方法。
【請求項２０】
前記選択ステップは、前記多重化静止画像データの全ての選択と、前記非多重化静止画像データの全ての選択とを順番に行うことを特徴とする請求項１８に記載の記録方法。
【請求項２１】
前記記録ステップは、前記多重化静止画像データから変換された各動画像データを、それぞれ異なるビデオオブジェクトユニットに割り付けて、前記多重化静止画像データから変換された動画像データを１つのビデオオブジェクトとして記録媒体に記録すると共に、前記非多重化静止画像データから変換された各動画像データを、それぞれ異なるビデオオブジェクトユニットに割り付けて、前記非多重化静止画像データから変換された動画像データを１つのビデオオブジェクトとして記録媒体に記録することを特徴とする請求項２０に記載の記録方法。
【請求項２２】
前記入力ステップは、前記記録媒体から静止画記録方式に従って記録された前記静止画像データを再生する再生ステップを含むことを特徴とする請求項１３に記載の記録方法。
【請求項２３】
被写体を撮像する撮像ステップと、
前記撮像ステップにより得られた画像データを用いて動画像データと静止画像データとを生成する処理ステップとを有し、
前記記録ステップは、前記処理ステップにより得られた動画像データを前記動画記録方式に従って前記記録媒体に記録すると共に、前記処理ステップにより得られた静止画像データを静止画記録方式に従って前記記録媒体に記録することを特徴とする請求項１３に記載の記録方法。
【請求項２４】
前記入力ステップは、前記記録媒体から前記静止画記録方式に従って記録された前記静止画像データと前記動画記録方式に従って記録された動画像データとを再生する再生ステップを含むことを特徴とする請求項２３に記載の記録方法。
【請求項２５】
静止画像データを入力する入力ステップと、
前記入力ステップにより入力された静止画像データに対し、その静止画像データに係る副情報データを多重化する多重化ステップと、
前記多重化ステップにより副情報データが多重化された静止画像データを動画記録方式に従う動画像データに変換する変換ステップと、
前記変換ステップにより変換された動画像データを前記動画記録方式に従って記録媒体に記録する記録ステップとをコンピュータに実行させることを特徴とするコンピュータプログラム。
【発明の詳細な説明】
【技術分野】
【０００１】
本発明は、記録装置、記録方法、及びコンピュータプログラムに関し、特に、動画像と静止画像とを記録媒体に記録する装置に用いて好適な技術に関するものである。
【背景技術】
【０００２】
近年、ＭＰＥＧ等のフレーム間符号化を用いて符号化された動画像をディスク状の記録媒体（例えばＤＶＤ）に記録し、記録した動画像を再生するデジタルビデオカメラ等の記録再生装置が普及している。このようなデジタルビデオカメラが動画像を記録媒体に記録する場合には、DVD-VIDEOフォーマットや、DVD-VR（Video Recording）フォーマット等の動画記録フォーマットが用いられる。
また、こうしたデジタルビデオカメラは、動画像だけでなく、静止画像を記録することも可能である。静止画像を記録する場合、デジタルカメラは、ＪＰＥＧで静止画像を符号化し、符号化した静止画像を、ＤＣＦ（Design rule for Camera File system）フォーマット等の静止画様の記録フォーマットで記録する。
【０００３】
以上のようにしてＤＶＤに記録された動画像と静止画像との双方をＤＶＤ再生装置で再生できるようにするために、動画像と静止画像とのそれぞれの記録方式に対応したデコーダや再生機能をＤＶＤ再生装置に設けることが考えられる。ところが、ＤＶＤを再生する一般的なＤＶＤ再生装置は、動画像の再生機能しか持たず、静止画像用のデコーダや静止画像用の再生機能を持っていない場合が殆どである。
従って、前述したようにして動画像データと静止画像データとが混在して記録されたＤＶＤを一般的なＤＶＤ再生装置で再生しようとしても、DVD-VIDEOフォーマット等の動画記録フォーマットに則って記録されたデータしか再生することができない。よって、一般的なＤＶＤ再生装置では、ＤＶＤに記録された静止画像データを再生することができず、その静止画像データに基づく静止画像をユーザーには視聴させることができないという問題点がある。
【０００４】
このような問題点を回避するために、ＭＰＥＧのフレーム内符号化データ（Ｉピクチャ）で静止画像を符号化して記録することが考えられる。これにより、一般的なＤＶＤＤＶＤ再生装置で読み出すことが可能なDVD−VIDEOフォーマットや、DVD−VRフォーマット等の動画記録フォーマットに則って静止画像を記録することができる。しかしながら、静止画像は、動画像に比べて解像度が固定ではなく、動画像よりも解像度が高い場合がある。従ってこのような場合にＭＰＥＧで静止画像を符号化して記録すると、本来の解像度よりも解像度を低くして静止画像を記録しなければならず、解像度の高い静止画像を撮影することができない。
【０００５】
そこで、静止画記録方式に従って記録した静止画像を一旦復号化し、改めてＭＰＥＧ方式で符号化して動画記録方式に従って記録する技術が提案されている（特許文献１を参照）。かかる技術によれば、動画像については、ＭＰＥＧで符号化し、符号化した動画像を、DVD−VIDEOやDVD−VR等の動画記録フォーマットでＤＶＤに記録する。一方、静止画像については、ＪＰＥＧで符号化してＤＶＤに記録しておき、記録しておいた静止画像をＭＰＥＧで動画像に変換し、その動画像をDVD−VIDEOやDVD−VR等の動画記録フォーマットで記録する。
【０００６】
【特許文献１】特開２００４−２０１１７０号公報
【発明の開示】
【発明が解決しようとする課題】
【０００７】
しかしながら、特許文献１に記載されている従来の技術では、静止画像から変換された動画像をユーザーに閲覧させることはできるが、変換された動画像の各画面が、どの静止画像に対応しているのかをユーザーに分からせることができないという問題点があった。
具体的に説明すると、静止画像をＭＰＥＧで動画像に変換する際に、静止画像の記録時にカメラから得られる情報（撮影日時、画像のサイズ）や、静止画像のファイル名等がＭＰＥＧで変換された動画像のデータに反映されない。従って、静止画像から変換された動画像をＤＶＤ再生装置で再生してＴＶ等で視聴した場合に、これらの情報をユーザーに認識させることができないという問題点がある。
【０００８】
本発明は、このような問題点に鑑みてなされたものであり、静止画像を変換することにより生成された動画像が、どの静止画像に対応しているのかをユーザーに認識させることができるようにすることを目的とする。
【課題を解決するための手段】
【０００９】
本発明の記録装置は、静止画像データを入力する入力手段と、前記入力手段により入力された静止画像データに対し、その静止画像データに係る副情報データを多重化する多重化手段と、前記多重化手段により副情報データが多重化された静止画像データを動画記録方式に従う動画像データに変換する変換手段と、前記変換手段により変換された動画像データを前記動画記録方式に従って記録媒体に記録する記録手段とを有することを特徴とする。
【００１０】
本発明の記録方法は、静止画像データを入力する入力ステップと、前記入力ステップにより入力された静止画像データに対し、その静止画像データに係る副情報データを多重化する多重化ステップと、前記多重化ステップにより副情報データが多重化された静止画像データを動画記録方式に従う動画像データに変換する変換ステップと、前記変換ステップにより変換された動画像データを前記動画記録方式に従って記録媒体に記録する記録ステップとを有することを特徴とする。
【００１１】
本発明のコンピュータプログラムは、静止画像データを入力する入力ステップと、前記入力ステップにより入力された静止画像データに対し、その静止画像データに係る副情報データを多重化する多重化ステップと、前記多重化ステップにより副情報データが多重化された静止画像データを動画記録方式に従う動画像データに変換する変換ステップと、前記変換ステップにより変換された動画像データを前記動画記録方式に従って記録媒体に記録する記録ステップとをコンピュータに実行させることを特徴とする。
【発明の効果】
【００１２】
本発明によれば、静止画像データに、その静止画像データに係る副情報データを多重化し、副情報データを多重化した静止画像データを動画記録方式に従う動画像データに変換して記録した。これにより、静止画像を変換することにより生成された動画像の再生時に、副情報データを合わせて表示することが可能になる。従って、静止画像を変換することにより生成された動画像が、どの静止画像に対応しているのかを副情報データを手掛かりとしてユーザーに認識させることが可能になる。
また、本発明の他の特徴によれば、副情報データが多重化された動画像データと、副情報データが多重化されていない動画像データとを１つずつ交互に記録するようにした。従って、副情報データが多重化された動画像に続けて、副情報データが多重化されていない動画像を表示することが可能になる。従って、副情報データにより画像が見づらくなることを防止することができる。
また、本発明のその他の特徴によれば、副情報データが多重化された動画像データの全てと、副情報データが多重化されていない動画像データの全てとを順番に記録するようにした。これにより、副情報データが多重化された動画像データと、副情報データが多重化されていない動画像データとをそれぞれ一纏めにして記録することが可能になる。従って、副情報データが多重化された動画像データと、副情報データが多重化されていない動画像データとのうち、好みの動画像データをユーザーに容易に選択させることが可能になる。
【発明を実施するための最良の形態】
【００１３】
（第１の実施形態）
以下に、本発明の第１の実施形態について図面を用いて説明する。尚、以下では、画像の記録と再生とが可能な撮像装置を例に挙げて説明する。
【００１４】
まず、本実施形態の撮像装置の構成を説明する。図１は、撮像装置の構成の一例を示す図である。
図１において、制御回路１１５は、撮像装置の各ブロックを制御するためのものであり、例えば、ＣＰＵ、ＲＯＭ、及びＲＡＭを備えたマイクロコンピュータ等を備えている。操作部１１６は、撮像装置におけるユーザーインターフェースである。制御回路１１５は、操作部１１６の指示に基づいて各種の制御を実施する。
【００１５】
レンズ１００は、焦点距離や絞りの状態を変更することが可能なレンズである。撮像素子１０１は、例えばＣＣＤであり、レンズ１００で結像した光を電気信号（画像信号）に変換する機能を有している。
【００１６】
カメラ信号処理回路１０２は、撮像素子１０１から入力端子を介して入力した画像信号に対して、ホワイトバランスやガンマ補正等のカメラ信号処理を施す。
ＭＰＥＧ符号化回路１０３は、カメラ信号処理回路１０２でカメラ信号処理が施された動画像データに対し、ＭＰＥＧで符号化を行う（フレーム間／フレーム内符号化処理を行う）。
静止画符号化回路１０４は、カメラ信号処理回路１０２でカメラ信号処理が施された静止画像データに対し、例えばＪＰＥＧで符号化を行うと共に、その静止画像データの撮影情報を、符号化した静止画像データに付加する。尚、静止画像データの撮影情報は、静止画像データの撮影によって得られた情報であり、例えば、静止画像データの撮影時に得られた情報や、静止画像データの記録に関する情報や、静止画像データの内容に関する情報等である。より具体的に説明すると、静止画像データの撮影情報は、例えば、撮影日時、画像の解像度（画像の水平方向及び垂直方向のサイズ）、画質（圧縮に用いた量子化テーブルの情報）、シャッタースピード、ファイル名、及び絞り値等である。
【００１７】
再生回路１０９は、記録媒体１０７に記録されている動画データや静止画データ、或いは、管理データなどを再生する。尚、この記録媒体１０７は、不図示のイジェクト機構などの構成により撮像装置に対してから脱着することが可能である。
動画復号化回路１２０は、再生回路１０９により再生された動画像データを復号化し、復号化した動画像データを表示部１１７に出力する。
【００１８】
撮影情報検出回路１１０は、制御回路１１５から読み出し指示のあった静止画像データを記録媒体１０７から読み出すと共に、その静止画像データのファイル名を取得する。そして、読み出した静止画像データから、その静止画像データの撮影情報を取得する。
静止画復号化回路１１１は、再生回路１０９により再生された静止画像データを復号化し、復号化した静止画像データをサイズ変換回路１１２及び表示部１１７に出力する。
サイズ変換回路１１２は、静止画復号化回路１１１で復号化された静止画像データの水平方向及び垂直方向のサイズを、動画像データへの変換に適したサイズに変換する。これにより静止画復号化回路１１１で復号化された静止画像データは、例えばＭＰＥＧで動画像データに変換できるようになる。
【００１９】
多重化回路１１３は、撮影情報検出回路１１０で取得された撮影情報を文字情報として、サイズ変換回路１１２でサイズが変換された静止画像データに重ね合わせる（多重化する）。
ＭＰＥＧ符号化回路１１４は、多重化回路１１３で撮影情報が多重化された静止画像データを、例えばＭＰＥＧのＩピクチャーに符号化する。
管理データ生成回路１０８は、ＭＰＥＧ符号化回路１１４で符号化された静止画像データの管理データを生成する。尚、管理データは、例えば、静止画像データの記録位置や再生時間等である。
【００２０】
バッファ回路１０５は、ＭＰＥＧ符号化回路１０３、１１４から出力された動画像データ、静止画符号化回路１０４から出力された静止画像データ、及び管理データ生成回路１０８から出力された管理データ等を保持して記録回路１０６に出力する。記録回路１０６は、バッファ回路１０５から出力されたデータを記録媒体１０７に記録する。
液晶ディスプレイ等を備えている表示部１１７は、動画符号化回路１２０から出力された動画像データや、静止画復号化回路１１１から出力された静止画像データを表示する。
【００２１】
次に、動画像と静止画像とを記録媒体１０７に記録する際の撮像装置における各ブロックの動作の一例を、図１を参照しながら説明する。
まず、動画像を撮影して記録する際の各ブロックの機能の一例について説明する。
動画像の撮影開始（記録開始）の指示が操作部１１６のユーザーによる操作に従ってなされると、制御回路１１５は、撮像装置の各ブロックを制御して動画像の記録を開始させる。
撮像素子１０１から入力端子を介してカメラ信号処理回路１０２に動画像データが入力されると、カメラ信号処理回路１０２は、入力した動画像データに対してホワイトバランスやガンマ補正等の動画像用のカメラ信号処理を施す。そして、カメラ信号処理回路１０２は、カメラ信号処理を施した動画像データをＭＰＥＧ符号化回路１０３に供給する。
ＭＰＥＧ符号化回路１０３は、カメラ信号処理回路１０２から供給された動画像データを、フレーム間／フレーム内符号化（ＭＰＥＧ）により符号化処理する。そして、ＭＰＥＧ符号化回路１０３は、符号化処理した動画像データ（ＶＯＢ（Video Object）データ）をバッファ回路１０５に送出する。また、ＭＰＥＧ符号化回路１０３は、画像サイズや記録レート等、符号化に使用した情報を管理データ生成回路１０８に送出する。
【００２２】
バッファ回路１０５は、制御回路１１５からの指示を受け、ＭＰＥＧ符号化回路１０３で符号化された動画像データを記録回路１０６に送出する。記録回路１０６は、バッファ回路１０５から送出された動画像データに対し、記録媒体１０７に記録するのに必要な変調等を施す。そして、記録回路１０６は、変調等を施した動画像データを記録媒体１０７に記録する。本実施形態では、記録媒体１０７としてＤＶＤディスクを使用し、動画像データを記録する場合に、ＤＶＤ−ビデオフォーマットに従って記録する。
【００２３】
管理データ生成回路１０８は、画像サイズ、記録レート等の符号化に使用した情報や、動画像データ（ＶＯＢデータ）を記録媒体１０７へ記録する際に、動画像データを再生するために割り付けられるチャプターの情報等を生成し、バッファ回路１０５に送出する。
【００２４】
動画像の撮影停止（記録停止）の指示が、操作部１１６のユーザーによる操作に従ってなされると、制御回路１１５は、記録停止の指示を各ブロックに与える。制御回路１１５から記録停止の指示がなされると、ＭＰＥＧ符号化回路１０３は、符号化処理を停止し、動画像データの出力を終了する。このようにして記録が停止されると、管理データ生成回路１０８は、記録が開始されてから停止されるまでの間に記録した動画像データを１チャプターに割り当てる。そして、管理データ生成回路１０８は、ＶＴＳＩ（Video Title Set Information）の記録等のために、その動画像データをバッファ回路１０５に送出する。バッファ回路１０５は、記録回路１０６を介して仮のＶＴＳＩを記録媒体１０７に記録する。更に動画像データの記録開始の指示と記録停止の指示と共に、新規の動画像データが記録媒体１０７に記録されていく。
【００２５】
次に、静止画像を撮影して記録する際の撮像装置における各ブロックの動作の一例について説明する。
操作部１１６のユーザーによる操作に従って、静止画像の記録指示があると、制御回路１１５は、前述した仮のＶＴＳＩからＶＴＳＩを生成し、バッファ回路１０５に送出する。バッファ回路１０５は、記録回路１０６を介して、記録媒体１０７のＶＴＳＩを記録するエリアにＶＴＳＩを記録する。これにより、ＶＴＳ（Video Title Set）の記録が終了する。
【００２６】
また、管理データ生成回路１０８は、仮のＶＭＧ（Video Manager）を生成して、バッファ回路１０５に送出する。バッファ回路１０５に記憶された仮のＶＭＧは、所定のタイミング（例えば本体の電源を切る時）で、記録回路１０６に送出される。そして、記録回路１０６は、仮のＶＭＧを記録媒体１０７に記録する。
【００２７】
制御回路１１５は、静止画像に対する信号処理が行われるように撮像装置の各ブロックを制御する。カメラ信号処理回路１０２は、静止画記録の指示があると、撮像素子１０１から入力される動画像データのうち、静止画記録指示に応じた１フレームの画像データを抽出する。そして、抽出した１フレームの画像データに対して静止画像用の信号処理を施し、信号処理を施した静止画像データを静止画符号化回路１０４に送出する。
【００２８】
静止画符号化回路１０４は、入力された静止画像データをＪＰＥＧで符号化し、撮影日時、画像サイズ、画質（圧縮に用いた量子化テーブルの情報）、シャッタースピード、絞り値等の撮影情報を、静止画像データに付加する。そして、静止画符号化回路１０４は、撮影情報が付加された静止画像データを、例えばデジタルカメラ等で採用されているＤＣＦ（Design rule for Camera File System）フォーマットに則った方式にする。そして、静止画符号化回路１０４は、ＤＣＦフォーマットに則った方式となった静止画像データであって、撮影情報が付加された静止画像データをバッファ回路１０５に送出する。
バッファ回路１０５に送出された静止画像データは記録回路１０６を介して記録媒体１０７に記録される。
【００２９】
図１０は、動画像と静止画像との撮影を繰り返した場合の記録媒体（ＤＶＤ）におけるデータ配置の一例を概念的に示す図である。ここでは、DVD-VIDEOフォーマットで画像を記録した場合を例に挙げて示している。また、図１０では、紙面に向かって左から順に記録媒体にデータが記録されていく様子を示す。更に図１０では、まず、動画像データが記録されるとする。
【００３０】
ＶＭＧ（Video Manager）１０００には、後に続く各ＶＴＳ（Video Title Set）に関する情報や、１つ以上のプログラムチェーン情報（ＰＧＣＩ）等が記録される。ここで、ＶＴＳに関する情報には、例えば、ＶＴＳの数、各ＶＴＳを識別するためのＶＴＳ番号、及び記録媒体内の各ＶＴＳの記録位置等が記述されている。
【００３１】
ＶＭＧ１０００の次に記録されるＶＴＳ（ＶＴＳ−１）１１００には、ＶＴＳＩ（Video Title Set Information）１１０１が含まれる。更にＶＴＳ（ＶＴＳ−１）１１００には、複数のＶＯＢ（Video Object、ＶＯＢ１−１〜ＶＯＢ１−Ｍ）１１０２〜１１０４が含まれる。ここで、ＶＴＳＩ１１０１には、ＶＴＳ１１００内のチャプターの識別情報や、１つ以上のプログラムチェーン情報（ＰＧＣＩ）等が記述されている。また、複数のＶＯＢ（ＶＯＢ１−１〜ＶＯＢ１−Ｍ）１１０２〜１１０４には、動画像データの本体が記録される。尚、ＶＯＢ１１０２〜１１０４は、例えば、動画像の撮影が開始されてから一時停止がなされるまでの間に撮影された１シーンの動画像に対応しているものとする。
【００３２】
撮影されたＶＯＢ１１０２〜１１０４は、ＶＴＳ１１００内のチャプターに割り付けられる。前述したように、割り付けられたチャプターの識別情報はＶＴＳＩ１１０１に記録される。
このような動画像の記録がなされた後に静止画像が撮影されると、ＶＴＳ（ＶＴＳ−１）１１００の後に続けて、ＪＰＥＧで符号化された静止画像データ（静止画像−１）１２００が記録される。具体的に説明すると、静止画像の撮影に従って、複数のＪＰＥＧ画像（ＪＰＥＧ−１、ＪＰＥＧ−２、・・・、ＪＰＥＧ−（ｊ−１））１２０１〜１２０３が記録される。
【００３３】
このような静止画像データの記録がなされた後に動画像データが記録されると、ＪＰＥＧ画像（ＪＰＥＧ−(ｊ−１)）１２０３の後に続けて、ＶＴＳ（ＶＴＳ−２）１３００がＶＴＳ（ＶＴＳ−１）１１００と同様にして記録されていく。
更にＶＴＳ（ＶＴＳ−２）１３００の後に続けて静止画像データ（静止画像−２）１４００が記録される。具体的に説明すると、静止画像データ（静止画像−１）１２００と同様に、静止画像の撮影に従って、複数のＪＰＥＧ画像（ＪＰＥＧ−ｊ、・・・、ＪＰＥＧ−ｋ）１４０１、１４０２が記録される。
そして、この静止画像データ（静止画像−２）１４００の後には、ＶＴＳ（ＶＴＳ−３、ＶＴＳ−Ｎ）１５００、１６００が記録される。
【００３４】
以上のようにして動画像データと静止画像データとが記録媒体１０７に記録された後、例えばファイナライズの処理の指示がなされると、制御回路１１５は、以下に示す静止画データの変換処理を実施した後、ファイナライズ処理を実行する。尚、ここでは、ＶＭＧ等にパラメーターを記録することをファイナライズとする。
【００３５】
以下、静止画像データを動画像データに変換する処理を、図１〜図４を参照しながら説明する。図２は、静止画像データを動画像データに変換する際の撮像装置の処理の一例を説明するフローチャートである。図３は、静止画像データから変換された動画像データの記録媒体１０７におけるデータ配置の一例を概念的に示す図である。図４は、静止画像データを動画像データに変換する際の撮像装置の処理の一例を概念的に示す図である。
尚、ここでは、静止画像データを記録順に読み出すようにする場合を例に挙げて説明する。また、ここでは、ＪＰＥＧで符号化された静止画像データを、動画像データとしてＭＰＥＧのＩピクチャーに符号化する場合を例に挙げて説明する。
【００３６】
まず、図２のステップＳ４０１において、制御回路１１５は、再生回路１０９を制御して、記録媒体１０７に記録されている静止画像データ（例えば、図３、図４に示すＪＰＥＧ画像（ＪＰＥＧ−１）３０１）のファイル名の情報を読み出す。そして、制御回路１１５は、読み出した静止画像データのファイル名を撮影情報検出回路１１０に送出する。撮影情報検出回路１１０は、記録媒体１０７に記録されている静止画像データのファイル名を取得し、保持する。
【００３７】
次に、ステップＳ４０２において、制御回路１１５は、ステップＳ４０１でファイル名の読み出しを指示した静止画像データを記録媒体１０７から読み出すように再生回路１０９を制御する。再生回路１０９は、制御回路１１５から読み出し指示のあった静止画像データを読み出し、撮影情報検出回路１１０と、静止画復号化回路１１１とに送出する。
次に、ステップＳ４０３において、撮影情報検出回路１１０は、再生回路１０９から送出された静止画像データから、その静止画像データの撮影情報４０１を取得する。静止画像データの撮影情報４０１は、前述したように、例えば、撮影日時、画像の解像度（画像の水平方向及び垂直方向のサイズ）、画質、シャッタースピード、ファイル名、及び絞り値等である。
【００３８】
次に、ステップＳ４０４において、静止画復号化回路１１１は、再生回路１０９から送出された静止画像データであって、ＪＰＥＧで圧縮された静止画像データを復号化して、復号化された静止画像データを取得し、サイズ変換回路１１２に送出する。
次に、ステップＳ４０５において、サイズ変換回路１１２は、静止画復号化回路１１１で復号化された静止画像データの水平方向及び垂直方向のサイズを、動画像データへの変換に適したサイズに変換する。
【００３９】
次に、ステップＳ４０６において、多重化回路１１３は、撮影情報検出回路１１０から送出された撮影情報４０１を文字情報として、サイズ変換回路１１２でサイズが変換された静止画像データ（例えば、ＪＰＥＧ画像３０１）に重ね合わせる（多重化する）。そして、多重化回路１１３は、文字情報を重ね合わせた静止画像データ４０２をＭＰＥＧ符号化回路１１４に送出する。
次に、ステップＳ４０７において、ＭＰＥＧ符号化回路１１４は、多重化回路１１３から供給された静止画像データであって、サイズが変換された後に撮影情報４０１が重ね合わされた静止画像データ４０２をＭＰＥＧのＩピクチャーに符号化する。そして、ＭＰＥＧ符号化回路１１４は、ＭＰＥＧのＩピクチャーに符号化した静止画像データをバッファ回路１０５に送出する。
【００４０】
次に、ステップＳ４０８において、管理データ生成回路１０８は、図３に示すように、ＭＰＥＧ符号化回路１１４でＭＰＥＧのＩピクチャーに符号化された静止画像データを、該当するＶＯＢ（例えばＶＯＢ（ＶＯＢ１）３０２）に割り付ける。そして、管理データ生成回路１０８は、そのＶＯＢを再生して一時停止する時間ｓを生成する。その後管理データ生成回路１０８は、ＶＯＢに割り付けた静止画像データの記録位置等の情報と、一時停止する時間ｓの情報とを、管理データとしてバッファ回路１０５に送出する。バッファ回路１０５は、管理データ生成回路１０８から送出された管理データを、ＶＴＳＩ３０３のデータとして保持する。
【００４１】
次に、ステップＳ４０９において、バッファ回路１０５は、ステップＳ４０７でＭＰＥＧ符号化回路１１４によりＭＰＥＧのＩピクチャーに符号化された静止画像データを、記録回路１０６に送出する。記録回路１０６は、ＭＰＥＧのＩピクチャーに符号化されたデータを記録媒体１０７に記録する。
次に、ステップＳ４１０において、制御回路１１５は、ＭＰＥＧのＩピクチャーに符号化されていない静止画像が、記録媒体１０７に存在しているか否かを判定する。この判定の結果、ＭＰＥＧのＩピクチャーに符号化されていない静止画像が、記録媒体１０７に存在している場合には、ＭＰＥＧのＩピクチャーに符号化されていない静止画像が、記録媒体１０７に存在しなくなるまでステップＳ４０１〜Ｓ４０９を繰り返し行う。例えば、ＪＰＥＧ画像（ＪＰＥＧ１）３０１についての処理をステップＳ４０１〜Ｓ４０９で行った場合には、ＪＰＥＧ画像（ＪＰＥＧ２）３０４についての処理を行う。
【００４２】
そして、記録媒体１０７に記録された静止画像データの全て（ＪＰＥＧ画像（ＪＰＥＧ１〜ｋ）３０１、３０４、３０５）がＭＰＥＧで動画像データに変換されると、ステップＳ４１１に進む。ステップＳ４１１では、バッファ回路１０５は、ステップＳ４０８でＶＴＳＩ３０３のデータとして保持していた管理データを記録回路１０６に送出する。記録回路１０６は、ＶＴＳＩ３０３のデータを記録媒体１０７に記録して処理を終了する。
【００４３】
以上説明したように、静止画復号回路１１１は、記録媒体１０７に記録された静止画像を、例えばファイナライズ時に復号化する。また、撮影情報検出回路１１０は、その静止画像の記録時の撮影情報４０２を取得する。そして、多重化回路１１３は、撮影情報検出回路１１０で取得された撮影情報４０２を、静止画復号回路１１１で復号化された静止画像データ３０１に重畳する（多重化する）。ＭＰＥＧ符号化回路１１４は、撮影情報４０１が重畳された静止画像データ３０２を動画像データに符号化する。記録回路１０６は、ＭＰＥＧ符号化回路１１４で符号化された動画像データを記録媒体１０７に記録する。以上のようにすることで、ユーザーは、記録媒体１０７に記録された静止画像を、ＤＶＤ再生装置を用いて視聴することができ、更に撮影日時、画像のサイズ、静止画像データのファイル名等の撮影情報を知ることができる。従って、静止画像を変換することにより生成された動画像が、どの静止画像に対応しているのかをユーザーに認識させることができる。これにより例えば、ユーザーは、静止画像データを変換した動画像データを視聴しているときに、気に入った静止画像を印刷したい場合に、どの静止画像ファイルを印刷すればよいのかを簡単に知ることができる。
【００４４】
尚、本実施形態では、一枚の静止画像データをＶＯＢに割り付けようにしたが、図３（ｂ）に示すように、一枚の静止画像データをＶＯＢＵ（Video Object Unit）３０６〜３０８に割り付けるようにしても、本実施形態と同様の効果が得られる。
また、本実施形態において、ＭＰＥＧ符号化回路１１４の機能はＭＰＥＧ符号化回路１０２と同じであるため、これら二つの機能ブロックを共通の回路で構成することも可能である。
【００４５】
また、本実施形態では、画像の記録と再生とを１つの装置で行う場合を例に挙げて説明したが、画像の記録と再生とを別々の装置で行うようにしても、本実施形態の動作を実現することができる。この場合、記録装置及び再生装置は、撮像装置以外の装置であってもよい。
さらに、本実施形態では、記録媒体１０７が、ＤＶＤである場合を想定したが、記録媒体１０７は、ＣＤ−ＲＷやＭＯディスク等、ＤＶＤ以外の記録媒体であってもよい。
【００４６】
（第２の実施形態）
次に、本発明の第２の実施形態について説明する。前述した第１の実施形態では、撮影情報が多重化された静止画像データを動画像データに変換する場合について説明した。これに対し、本実施形態では、撮影情報が多重化された静止画像データに加え、撮影情報が多重化されていない静止画像データも動画像データに変換するようにしている。このように本実施形態と前述した第１の実施形態とは、動画像データに変換する静止画像データが主として異なる。従って、以下の説明において、前述したのと同一の部分については、図１〜図４、図１０に付した符号を付す等して詳細な説明を省略する。
【００４７】
図５は、本実施形態の撮像装置の構成の一例を示す図である。
図５において、制御回路２０２は、撮像装置の各ブロックを制御するためのものであり、例えば、ＣＰＵ、ＲＯＭ、及びＲＡＭを備えたマイクロコンピュータ等を備えている。尚、本実施形態の制御回路２０２と、図１に示した第１の実施形態の制御回路１１５とは、実行するプログラムの一部が異なる。
スイッチ２０１は、制御回路２０２からの指示に基づいて、端子ａ、ｂの何れかを選択する。スイッチ２０１の端子ａが選択されている場合には、多重化回路１１３で撮影情報４０１が多重化された静止画像データ４０２が、ＭＰＥＧ符号化回路１１４に出力される。一方、スイッチ２０１の端子ｂが選択されている場合には、サイズ変換回路１１２でサイズが変換された静止画像データ３０１が、ＭＰＥＧ符号化回路１１４に出力される。すなわち、スイッチ２０１の端子ｂが選択されている場合には、撮影情報４０１が多重化されていない静止画像データ３０１が、ＭＰＥＧ符号化回路１１４に出力される。
【００４８】
次に、図６のフローチャートを参照しながら、静止画像データを動画像データに変換する際の撮像装置の処理の一例を説明する。
まず、ステップＳ５０１において、制御回路２０２は、カウント値（変数）countを０（ゼロ）にセットすると共に（count＝０）、スイッチ２０１に対して端子ａを選択させる。
次のステップＳ５０２〜Ｓ５０７の処理は、第１の実施形態で説明した図４のステップＳ４０１〜Ｓ４０６の処理と同じである。すなわち、制御回路２０２は、再生回路１０９を制御して、記録媒体１０７に記録されている静止画像データのファイル名の情報を読み出して、撮影情報検出回路１１０に保持させる（ステップＳ５０２）。次に、再生回路１０９は、制御回路２０２から読み出し指示のあった静止画像データを読み出す（ステップＳ５０３）。
【００４９】
次に、撮影情報検出回路１１０は、再生回路１０９から送出された静止画像データから、その静止画像データの撮影情報４０１を取得する（ステップＳ５０４）。次に、静止画復号化回路１１１は、再生回路１０９から送出された静止画像データを復号化する（ステップＳ５０５）。次に、サイズ変換回路１１２は、静止画復号化回路１１１で復号化された静止画像データのサイズを、動画像データへの変換に適したサイズに変換する（ステップＳ５０６）。次に、多重化回路１１３は、撮影情報検出回路１１０から送出された撮影情報４０１を、サイズが変換された静止画像データに多重化する（ステップＳ５０７）。
【００５０】
次に、ステップＳ５０８において、ＭＰＥＧ符号化回路１１４は、撮影情報４０１が多重化された静止画像データ４０２をＭＰＥＧのＩピクチャーに符号化する。ここではカウント値が０（ゼロ）であるので、制御回路２０２は、スイッチ２０１の端子ａを選択するように指示している。従って、ＭＰＥＧ符号化回路１１４は、多重化回路１１３で撮影情報４０１が多重化された静止画像データ４０２をＭＰＥＧのＩピクチャーに符号化し、バッファ回路１０５に供給する。
【００５１】
次に、ステップＳ５０９において、管理データ生成回路２０３は、ＭＰＥＧ符号化回路１１４で符号化した静止画像データ（例えばＪＰＥＧ画像３０１ａ、３０４ａ、３０５ａ）をＶＯＢ（例えばＶＯＢ３０２、３１０、３１２）に割り付ける（図７（ａ）参照）。そして、管理データ生成回路１０８は、そのＶＯＢを再生して一時停止する時間ｓを生成する。その後、管理データ生成回路１０８は、ＶＯＢに割り付けた静止画像データの情報（記録位置等の情報）と、一時停止する時間ｓの情報とを、管理データとしてバッファ回路１０５に送出する。バッファ回路１０５は、管理データ生成回路１０８から送出された管理データを、ＶＴＳＩ３０３のデータとして保持する。
【００５２】
次に、ステップＳ５１０において、バッファ回路１０５は、ステップＳ５０８でＭＰＥＧ符号化回路１１４によりＭＰＥＧのＩピクチャーに符号化された静止画像データを、記録回路１０６に送出する。記録回路１０６は、ＭＰＥＧのＩピクチャーに符号化されたデータを記録媒体１０７に記録する。
次に、ステップＳ５１１において、制御回路２０２は、カウント値に１を加算する。
【００５３】
次に、ステップＳ５１２において、制御回路２０２は、カウント値が１であるか否かを判定する。この判定の結果、カウント値が１である場合には、ステップＳ５１３に進む。ステップＳ５１３に進むと、制御回路２０２は、スイッチ２０１に対して端子ｂを選択させる。これにより、サイズ変換回路１１２で保持されている静止画像データ（例えば、ＪＰＥＧ画像３０１ｂ）がＭＰＥＧ符号化回路１１４に送出されるようになる。そして、ステップＳ５０８において、ＭＰＥＧ符号化回路１１４は、サイズ変換回路１１２で保持されている静止画像データ、すなわち撮影情報４０１が多重化されていない静止画像データ３０１をＭＰＥＧのＩピクチャーに符号化する。
【００５４】
次に、ステップＳ５０９において、管理データ生成回路２０３は、ＭＰＥＧ符号化回路１１４で符号化した静止画像データ（例えばＪＰＥＧ画像３０１ｂ、３０４ｂ、３０５ｂ）をＶＯＢ（例えばＶＯＢ３０９、３１１、３１３）に割り付ける（図７（ａ）参照）。その後、管理データ生成回路１０８は、ＶＯＢに割り付けた静止画像データの情報（記録位置等の情報）と、一時停止する時間ｓの情報とを、管理データとしてバッファ回路１０５に送出する。バッファ回路１０５は、管理データ生成回路１０８から送出された管理データを、ＶＴＳＩ３０３のデータとして保持する。
【００５５】
次に、ステップＳ５１０において、バッファ回路１０５は、ステップＳ５０８でＭＰＥＧ符号化回路１１４によりＭＰＥＧのＩピクチャーに符号化された静止画像データを、記録回路１０６に送出する。記録回路１０６は、ＭＰＥＧのＩピクチャーに符号化されたデータを記録媒体１０７に記録する。
次に、ステップＳ５１１において、制御回路２０２は、カウント値に１を加算する。そうすると、カウント値は２になるので、ステップＳ５１２において、カウント値は１でないと判定されステップＳ５１４に進む。
ステップＳ５１４に進むと、制御回路２０２は、ＭＰＥＧのＩピクチャーに符号化されていない静止画像が、記録媒体１０７に存在しているか否かを判定する。この判定の結果、ＭＰＥＧのＩピクチャーに符号化されていない静止画像が、記録媒体１０７に存在している場合には、ＭＰＥＧのＩピクチャーに符号化されていない静止画像が、記録媒体１０７に存在しなくなるまでステップＳ５０１〜Ｓ５１４を繰り返し行う。例えば、ＪＰＥＧ画像（ＪＰＥＧ１）３０１ａ、３０１ｂについての処理をステップＳ５０１〜Ｓ５１４で行った場合には、ＪＰＥＧ画像（ＪＰＥＧ２）３０４ａ、３０４ｂについての処理をステップＳ５０１〜Ｓ５１２で行う。
【００５６】
以上のように、撮影情報４０１が多重化された静止画像データ３０１ａ、３０４ａ、３０５ａは、ＭＰＥＧで符号化された後、それぞれＶＯＢ３０２、３１０、３１２に割り当てられる。また、撮影情報４０１が多重化されていない静止画像データ３０１ｂ、３０４ｂ、３０５ｂも、ＭＰＥＧで符号化された後、それぞれＶＯＢ３０９、３１１、３１３に割り当てられる。
そして、記録媒体１０７に記録された静止画像データの全て（ＪＰＥＧ画像（ＪＰＥＧ１〜ｋ）３０１、３０４、３０５）がＭＰＥＧで動画像データに変換されると、ステップＳ５１５に進む。ステップＳ５１５では、バッファ回路１０５は、ステップＳ５０９でＶＴＳＩ３０３のデータとして保持していた管理データを記録回路１０６に送出する。記録回路１０６は、ＶＴＳＩ３０３のデータを記録媒体１０７に記録して処理を終了する。
【００５７】
以上のように本実施形態では、撮影情報４０１が多重化された静止画像データを符号化した動画像データと、その動画像データに対応する動画像データであって、撮影情報４０１が多重化されていない静止画像データを符号化した動画像データとを交互に記録する。これにより、撮影情報４０１が多重化された再生画像と、撮影情報４０１が多重化されない再生画像とを交互に再生表示することができる。従って、第１の実施形態で説明した効果に加え、再生表示された画像が撮影情報４０１により見づらくなることを防止できるという効果が得られる。すなわち、ユーザーは、撮影情報４０１が多重化されない再生画像により、再生画像の内容を確実に確認することができる。
【００５８】
尚、本実施形態でも、一枚の静止画像データをＶＯＢに割り付けようにしたが、図７（ｂ）に示すように、一枚の静止画像データをＶＯＢＵ（Video Object Unit）３１４〜３１９に割り付けるようにしても、本実施形態と同様の効果が得られる。
また、本実施形態では、撮影情報４０１が多重化された静止画像データ３０１ａ、３０４ａ、３０５ａに基づく動画像データの後に、撮影情報４０１が多重化されていない静止画像データ３０１ａ、３０４ａ、３０５ａに基づく動画像データを記録するようにした。しかしながら、記録する順番はこれと逆であってもよい。
【００５９】
（第３の実施形態）
次に、本発明の第３の実施形態について説明する。前述した第２の実施形態では、撮影情報が多重化された静止画像データと、撮影情報が多重化されていない静止画像データとを１つずつ交互に記録するようにした。これに対し、本実施形態では、撮影情報が多重化された静止画像データ群を記録した後に、撮影情報が多重化されていない静止画像データ群を記録するようにしている。このように本実施形態と前述した第２の実施形態とは、静止画像データを記録する方法の一部が主として異なる。従って、以下の説明において、前述したのと同一の部分については、図１〜図７、図１０に付した符号を付す等して詳細な説明を省略する。
【００６０】
本実施形態の撮像装置のハードウェアの構成は、図５に示した第２の実施形態の撮像装置と同じである。本実施形態の撮像装置と第２の実施形態の撮像装置とは、制御回路で実行されるプログラムの一部が異なる。
そこで、図８のフローチャートを参照しながら、静止画像データを動画像データに変換する際の撮像装置の処理の一例を説明する。
まず、ステップＳ６０１で制御回路は、カウント値（変数）countを０（ゼロ）にセットすると共に（count＝０）、スイッチ２０１に対して端子ａを選択させる。
次のステップＳ６０２〜Ｓ６０６の処理は、第１の実施形態で説明した図４のステップＳ４０１〜Ｓ４０５、及び第２の実施形態で説明した図６のステップＳ５０２〜Ｓ５０６の処理と同じである。すなわち、制御回路は、再生回路１０９を制御して、記録媒体１０７に記録されている静止画像データのファイル名の情報を読み出して、撮影情報検出回路１１０に保持させる（ステップＳ６０２）。次に、再生回路１０９は、制御回路から読み出し指示のあった静止画像データを読み出す（ステップＳ６０３）。
【００６１】
次に、撮影情報検出回路１１０は、再生回路１０９から送出された静止画像データから、その静止画像データの撮影情報４０１を取得する（ステップＳ６０４）。次に、静止画復号化回路１１１は、再生回路１０９から送出された静止画像データを復号化する（ステップＳ６０５）。次に、サイズ変換回路１１２は、静止画復号化回路１１１で復号化された静止画像データのサイズを、動画像データへの変換に適したサイズに変換する（ステップＳ６０６）。
【００６２】
次に、ステップＳ６０７において、制御回路は、カウント値が０であるか否かを判定する。この判定の結果、カウント値が０でない場合には、ステップＳ６０８を省略して後述するステップＳ６０９に進む。一方、カウント値が０である場合には、ステップＳ６０８に進む。ステップＳ６０８に進むと、多重化回路１１３は、撮影情報検出回路１１０から送出された撮影情報４０１を、サイズが変換された静止画像データ３０１に多重化して、撮影情報４０１が多重化された静止画像データ４０２を得る。ここでは、スイッチ回路２０１の端子ａが選択されているので、撮影情報４０１が多重化された静止画像データ４０２は、ＭＰＥＧ符号化回路１１４に送出される。
【００６３】
次に、ステップＳ６０９において、入力した静止画像データをＭＰＥＧのＩピクチャーに符号化する。ここではカウント値が０（ゼロ）であるので、制御回路は、スイッチ２０１の端子ａを選択するように指示している。従って、この場合、ＭＰＥＧ符号化回路１１４は、多重化回路１１３で撮影情報４０１が多重化された静止画像データ４０２をＭＰＥＧのＩピクチャーに符号化し、バッファ回路１０５に送出する。
【００６４】
次に、ステップＳ６１０において、管理データ生成回路２０３は、ＭＰＥＧ符号化回路１１４で符号化した静止画像データ（例えばＪＰＥＧ画像３０１ａ、３０４ａ、３０５ａ）をＶＯＢＵ（例えばＶＯＢ３２０〜３２２）に割り付ける（図９参照）。そして、管理データ生成回路１０８は、そのＶＯＢＵを再生して一時停止する時間ｓを生成する。その後、管理データ生成回路１０８は、ＶＯＢＵに割り付けた静止画像データの情報（記録位置等の情報）と、一時停止する時間ｓの情報とを、管理データとしてバッファ回路１０５に送出する。バッファ回路１０５は、管理データ生成回路１０８から送出された管理データを、ＶＴＳＩ３０３のデータとして保持する。
【００６５】
次に、ステップＳ６１１において、バッファ回路１０５は、ステップＳ５０８でＭＰＥＧ符号化回路１１４によりＭＰＥＧのＩピクチャーに符号化された静止画像データを、記録回路１０６に送出する。記録回路１０６は、ＭＰＥＧのＩピクチャーに符号化されたデータを記録媒体１０７に記録する。
次に、ステップＳ６１２において、制御回路は、ＭＰＥＧのＩピクチャーに符号化されていない静止画像が、記録媒体１０７に存在しているか否かを判定する。この判定の結果、ＭＰＥＧのＩピクチャーに符号化されていない静止画像が、記録媒体１０７に存在している場合には、ＭＰＥＧのＩピクチャーに符号化されていない静止画像が、記録媒体１０７に存在しなくなるまでステップＳ６０２〜Ｓ６１２を繰り返し行う。例えば、ＪＰＥＧ画像（ＪＰＥＧ１）３０１ａについての処理をステップＳ６０２〜Ｓ６１２で行った場合には、ＪＰＥＧ画像（ＪＰＥＧ２）３０４ａについての処理をステップＳ６０２〜Ｓ６１２で行う。
【００６６】
以上のように、撮影情報４０１が多重化された静止画像データ３０１ａ、３０４ａ、３０５ａは、ＭＰＥＧで符号化された後、それぞれＶＯＢＵ（ＶＯＢＵ−１〜ｋ）３２０〜３２２に割り当てられ、第１のＶＯＢ（ＶＯＢ１）として記録される。そうすると、ステップＳ６１３において、制御回路は、カウント値に１を加算する。
【００６７】
次に、ステップＳ６１４において、制御回路は、カウント値が１であるか否かを判定する。この判定の結果、カウント値が１である場合には、ステップＳ６１５に進む。ステップＳ６１５に進むと、制御回路２０２は、スイッチ２０１に対して端子ｂを選択させる。これにより、サイズ変換回路１１２で保持されている静止画像データであって、撮影情報４０１が多重化されていない静止画像データ（例えば、ＪＰＥＧ画像３０１ｂ）が、ＭＰＥＧ符号化回路１１４に送出されるようになる。
【００６８】
そして、前述したようにしてステップＳ６０２〜Ｓ６０６までの処理を行い、静止画像データのサイズが変換されると、ステップＳ６０７に進み、制御回路は、カウント値が０であるか否かを判定する。ここでは、カウント値は１であり０ではないので、スイッチ回路２０１の端子ｂが選択されている。従って、ステップＳ６０８を省略してステップＳ６０９に進む。そして、ステップＳ６０９において、ＭＰＥＧ符号化回路１１４は、サイズ変換回路１１２でサイズが変換された静止画像データ、すなわち撮影情報４０１が多重化されていない静止画像データをＭＰＥＧのＩピクチャーに符号化し、バッファ回路１０５に送出する。
【００６９】
次に、ステップＳ６１０において、管理データ生成回路２０３は、ＭＰＥＧ符号化回路１１４で符号化した静止画像データ（例えばＪＰＥＧ画像３０１ｂ、３０４ｂ、３０５ｂ）をＶＯＢＵ（例えばＶＯＢＵ３２３〜３２５に割り付ける（図９参照）。そして、管理データ生成回路１０８は、そのＶＯＢＵを再生して一時停止する時間ｓを生成する。その後、管理データ生成回路１０８は、ＶＯＢＵに割り付けた静止画像データの情報（記録位置等の情報）と、一時停止する時間ｓの情報とを、管理データとしてバッファ回路１０５に送出する。バッファ回路１０５は、管理データ生成回路１０８から送出された管理データを、ＶＴＳＩ３０３のデータとして保持する。
【００７０】
次に、ステップＳ６１１において、バッファ回路１０５は、ステップＳ５０８でＭＰＥＧ符号化回路１１４によりＭＰＥＧのＩピクチャーに符号化された静止画像データを、記録回路１０６に送出する。記録回路１０６は、ＭＰＥＧのＩピクチャーに符号化されたデータを記録媒体１０７に記録する。
【００７１】
以上のようにして撮影情報４０１が多重化されていない静止画像データ３０１ｂ、３０４ｂ、３０５ｂを動画像データに符号化する。撮影情報４０１が多重化されていない静止画像データ３０１ｂ、３０４ｂ、３０５ｂは、ＭＰＥＧで符号化された後、それぞれＶＯＢＵ（ＶＯＢＵ−ｋ＋１〜２ｋ）３２３〜３２５に割り当てられ、第２のＶＯＢ（ＶＯＢ２）として記録される。そうすると、ステップＳ６１３において、制御回路は、カウント値に１を加算する。これにより、カウント値は２となるので、ステップＳ６１４において、カウント値は１でないと判定されステップＳ６１６に進む。
【００７２】
ステップＳ６１６に進むと、バッファ回路１０５は、ステップＳ６１０でＶＴＳＩ３０３のデータとして保持していた管理データを記録回路１０６に送出する。記録回路１０６は、ＶＴＳＩ３０３のデータを記録媒体１０７に記録して処理を終了する。
【００７３】
以上のように本実施形態では、撮影情報４０１が多重化された静止画像データを符号化することにより得られた動画像データを第１のＶＯＢとして纏めて記録媒体１０７に記録する。その後、撮影情報４０１が多重化されていない静止画像データを符号化することにより得られた動画像データを第２のＶＯＢとして第１のＶＯＢの後に続けて纏めて記録する。これにより、第１及び第２の実施形態で説明した効果に加え、ユーザーは、撮影情報４０１が多重化された画像と、撮影情報４０１が多重化されていない画像との何れかを選択して再生することが可能になるという効果が得られる。ここで、撮影情報４０１が多重化された画像と、撮影情報４０１が多重化されていない画像との選択は、操作部１１６の操作に基づいて、制御回路が行うようにすればよい。
【００７４】
尚、本実施形態では、撮影情報４０１が多重化された静止画像データを符号化することにより得られた動画像データの後に、撮影情報４０１が多重化されていない静止画像データを符号化することにより得られた動画像データを記録するようにした。しかしながら、記録する順番はこれと逆であってもよい。すなわち、撮影情報４０１が多重化されていない静止画像データを符号化することにより得られた動画像データを第１のＶＯＢとし、撮影情報４０１が多重化された静止画像データを符号化することにより得られた動画像データを第２のＶＯＢとしてもよい。
【００７５】
（本発明の他の実施形態）
前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給してもよい。そのシステムあるいは装置のコンピュータ（ＣＰＵあるいはＭＰＵ）に格納されたプログラムに従って前記各種デバイスを動作させることによって実施したものも、本発明の範疇に含まれる。
【００７６】
また、この場合、前記ソフトウェアのプログラムコード自体が前述した実施形態の機能を実現することになる。また、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７７】
また、コンピュータが供給されたプログラムコードを実行することにより、前述の実施形態の機能が実現されるだけでない。そのプログラムコードがコンピュータにおいて稼働しているオペレーティングシステムあるいは他のアプリケーションソフト等と共同して前述の実施形態の機能が実現される場合にもかかるプログラムコードは本発明の実施形態に含まれることは言うまでもない。
【００７８】
さらに、供給されたプログラムコードがコンピュータの機能拡張ボードに備わるメモリに格納された後、そのプログラムコードの指示に基づいてその機能拡張ボードに備わるＣＰＵが実際の処理の一部または全部を行う。その処理によって前述した実施形態の機能が実現される場合にも本発明に含まれることは言うまでもない。
また、供給されたプログラムコードがコンピュータに接続された機能拡張ユニットに備わるメモリに格納された後、そのプログラムコードの指示に基づいて機能拡張ユニットに備わるＣＰＵ等が実際の処理の一部または全部を行う。その処理によって前述した実施形態の機能が実現される場合にも本発明に含まれることは言うまでもない。
【００７９】
なお、前述した各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８０】
【図１】本発明の第１の実施形態を示し、撮像装置の構成の一例を示す図である。
【図２】本発明の第１の実施形態を示し、静止画像データを動画像データに変換する際の撮像装置の処理の一例を説明するフローチャートである。
【図３】本発明の第１の実施形態を示し、静止画像データから変換された動画像データの記録媒体におけるデータ配置の一例を概念的に示す図である。
【図４】本発明の第１の実施形態を示し、静止画像データを動画像データに変換する際の撮像装置の処理の一例を概念的に示す図である。
【図５】本発明の第２の実施形態を示し、撮像装置の構成の一例を示す図である。
【図６】本発明の第２の実施形態を示し、静止画像データを動画像データに変換する際の撮像装置の処理の一例を説明するフローチャートである。
【図７】本発明の第２の実施形態を示し、静止画像データから変換された動画像データの記録媒体におけるデータ配置の一例を概念的に示す図である。
【図８】本発明の第３の実施形態を示し、静止画像データを動画像データに変換する際の撮像装置の処理の一例を説明するフローチャートである。
【図９】本発明の第３の実施形態を示し、静止画像データから変換された動画像データの記録媒体におけるデータ配置の一例を概念的に示す図である。
【図１０】本発明の第１の実施形態を示し、動画像と静止画像との撮影を繰り返した場合の記録媒体（ＤＶＤ）におけるデータ配置を概念的に示す図である。
【符号の説明】
【００８１】
１００  レンズ
１０１  撮像素子
１０２  カメラ信号処理回路
１０３  ＭＰＥＧ符号化回路
１０４  静止画符号化回路
１０５  バッファ回路
１０６  記録回路
１０７  記録媒体
１０８  管理データ生成回路
１０９  再生回路
１１０  撮影情報検出回路
１１１  静止画復号化回路
１１２  サイズ変換回路
１１３  多重化回路
１１４  ＭＰＥＧ符号化回路
１１５、２０２  制御回路
１１６  操作部
２０１  スイッチ回路
【図１】
2007318544.tif 000003
【図２】
2007318544.tif 000004
【図３】
2007318544.tif 000005
【図４】
2007318544.tif 000006
【図５】
2007318544.tif 000007
【図６】
2007318544.tif 000008
【図７】
2007318544.tif 000009
【図８】
2007318544.tif 000010
【図９】
2007318544.tif 000011
【図１０】
2007318544.tif 000012